【事件の表示】
　特願２００３−４３１３４２「出没式筆記具」拒絶査定不服審判事件〔平成１７年　７月１４日出願公開、特開２００５−１８６４６８〕について、次のとおり審決する。
【結　論】
　本件審判の請求は、成り立たない。
【理　由】
第１　手続の経緯
　本願は、平成１５年１２月２５日の出願であって、平成２０年１月１５日付けで手続補正がなされ、同年６月２６日付けで拒絶査定がなされ、これに対し、同年８月７日に拒絶査定不服審判が請求され、同日付けで手続補正がなされたものである。　
　
第２　平成２０年８月７日付け手続補正についての補正却下の決定
［補正却下の決定の結論］
　平成２０年８月７日付け手続補正（以下「本件補正」という。）を却下する。
　
［理由］
１　本件補正の内容・目的
　本件補正は、特許請求の範囲及び明細書についてするものであり、本件補正前の特許請求の範囲（平成２０年１月１５日付け手続補正後のもの）の請求項１である、
　
「軸筒の内面にカム溝が設けられ、そのカム溝と係合する摺動子、並びに、回転子が配置され、その回転子の前後動によって筆記体が前記軸筒から出没する筆記具であって、前記回転子の外周に歯部を放射状に形成すると共に、その歯部を筆記体の突出方向に向けて延設形成し、その延設部によって筆記体の後部を囲繞し、また、前記筆記体の外径を回転子の外径部表面以下としたことを特徴とする出没式筆記具。」
　
を、補正後の特許請求の範囲の請求項１として、
　
「軸筒の内面にカム溝が設けられ、そのカム溝と係合する摺動子、並びに、回転子が配置され、その回転子の前後動によって筆記体が前記軸筒から出没する筆記具であって、前記回転子の外周に歯部を放射状に形成すると共に、その歯部を筆記体の突出方向に向けて延設形成し、その延設部によって筆記体の後部を囲繞し、また、前記筆記体の外径を回転子の外径部表面以下とし、その回転子の外径部表面に前記歯部を形成し、また、回転子の長手方向に貫通孔を形成したことを特徴とする出没式筆記具。」
　
に、補正する内容を含むものである。　
　
　上記補正内容は、本件補正前の請求項１に係る発明を特定するために必要な事項である、回転子について、その外径部表面に歯部を形成し、その長手方向に貫通孔を形成したものに限定するものであるから、平成１８年法律第５５号改正附則第３条第１項によりなお従前の例によるとされる同法による改正前の特許法（以下「平成１８年改正前特許法」という。）第１７条の２第４項第２号の特許請求の範囲の減縮を目的とするものである。
　
２　独立特許要件について
　そこで、本件補正後の請求項１に係る発明（以下「本願補正発明」という。）が特許出願の際独立して特許を受けることができるものであるか（平成１８年改正前特許法第１７条の２第５項において準用する同法第１２６条第５項の規定に適合するか）について以下に検討する。
　
（１）刊行物の記載事項
ア　原査定の拒絶の理由に引用され本願出願前に頒布された刊行物である実願昭５９−２７６５３号（実開昭６０−１３８７８３号）のマイクロフィルム（以下「引用例１」という。）には、図とともに次の事項が記載されている（下線は、審決で付した。以下同じ）。
　
（ア）「実用新案登録請求の範囲
　先端から稍後方位置に窓孔を設けたクリツプがノツク操作体と一体化されると共にノツク操作体により筆記体が突出させられた状態に於けるクリツプの上記窓孔が位置する個所に対応する軸筒の位置に当該窓孔に貫入可能で前壁が後方に傾斜した突起が設けられたことを特徴とする
ノツク式筆記具
　
（イ）「図は本考案の実施例を示すもので、先端から稍後方位置に窓孔（１）が穿設されたクリツプ（２）が、その先端部が常に軸筒（３）の外面を押圧する様なバネ性を付与されて、ノツク棒（４）に一体化され、
ノツク棒（４）がノツクされて前進し筆記体（５）を軸筒（３）の先端口（６）より突出させた
（９）は回転子、（１０）はカム
　
その作動は
ノツク棒（４）をノツクして回転子（９）をカム（１０）に沿つて滑らせカム（１０）の先端で回転させて
係止する
次にノツク棒（４）を再びノツクすると回転子（９）とカム（１０）の係止が外れ
筆記体（５）が収納され且つノツク棒（４）も後退し
　
（ウ）「図面の簡単な説明
  図は本考案の実施例を示すもので、第１図は筆記体収納時のノツク式筆記具の半縦断面図、第２図は筆記体突出時のノツク式筆記具の半縦断面図、第３図は
カムの展開図
　
（エ）上記（ア）ないし（ウ）に照らして第３図のカムの展開図をみると、軸筒は、その内周面にカムが設けられている部分と設けられていない部分を有していることがみてとれる。
　
（オ）上記（ア）ないし（エ）に照らして第１図ないし第３図をみると、軸筒とノツク棒と筆記体と回転子を有するノツク式筆記具において、前記ノツク棒は、その下端部の外周に、軸筒内周面のカムが設けられていない部分に係合する部分を有するものであることが理解できる。また、前記回転子は、前記ノツク棒と前記筆記体の間に配置され、前記筆記体の後端面と該回転子が接する面より外側に、前記筆記体の突出方向に向けて延設させて前記筆記体の後部を覆い且つ前記カムと接し得る部位を有するものであることが理解できる。
　
（カ）上記（ア）ないし（オ）からみて、引用例１には、
「軸筒とノツク棒と筆記体と回転子を有するノツク式筆記具において、
　前記軸筒は、その内周面にカムが設けられている部分と設けられていない部分を有し、前記ノツク棒は、その下端部の外周に、軸筒内周面のカムが設けられていない部分に係合する部分を有し、前記回転子は、前記ノツク棒と前記筆記体の間に配置され、前記筆記体の後端面と該回転子が接する面より外側に、前記筆記体の突出方向に向けて延設させて前記筆記体の後部を覆い且つ前記カムと接し得る部位を有するものであって、
　前記ノツク棒がノツクされて前進し前記筆記体を前記軸筒の先端口より突出させる動作は、前記回転子を前記カムに沿つて滑らせ該カムの先端で回転させて係止するものであり、前記ノツク棒が再びノツクされて前記筆記体が収納され且つ前記ノツク棒も後退する動作は、前記回転子と前記カムの係止が外れるものである、ノツク式筆記具。」
の発明（以下「引用発明」という。）が記載されていると認められる。
　
イ　本願出願前に頒布された刊行物である特開平１０−２３６０７３号公報（以下「引用例２」という。）には、図とともに次の事項が記載されている
　
（ア）「【０００６】
リフィール
後端付近には空気置換のための空気孔
その空気孔と連通して外気に通じる流通手段を回転子
の構成としてある
　
（イ）上記（ア）に照らして図２をみると、回転子に貫通孔が形成されていることがみてとれる。
　
（２）対比
　本願補正発明と引用発明とを対比する。
ア　引用発明の「軸筒」、「ノツク棒」、「カムが設けられている部分と設けられていない部分」、「回転子」、「筆記体」及び「ノツク式筆記具」は、それぞれ、本願補正発明の「軸筒」、「摺動子」、「カム溝」、「回転子」、「筆記体」及び「出没式筆記具」に相当する。
　
イ　引用発明の「軸筒」は、その内周面にカムが設けられている部分と設けられていない部分を有するから、本願補正発明の「軸筒」と、「内面にカム溝が設けられ」ている点で一致する。
　
ウ　引用発明の「ノック棒」は、その下端部の外周に、軸筒内周面のカムが設けられていない部分に係合する部分を有するカムと接する部位を有するから、本願補正発明の「摺動子」と、「そのカム溝と係合する」点で一致する。
　
エ　引用発明において、回転子はカムに沿つて滑らせるものであり、かつ、回転子はノツク棒と筆記体の間に配置されるものであるから、該回転子がノツク棒及び筆記体と同方向に移動し、より具体的には、ノツク棒が前進し筆記体を軸筒の先端口より突出させる際には回転子が前進し、筆記体が収納され且つノツク棒も後退する際には回転子が後退することは自明であるところ、上記イに照らすと、引用発明は、本願補正発明の「そのカム溝と係合する・・・回転子が配置され、その回転子の前後動によって筆記体が前記軸筒から出没する筆記具であって」との事項を備える。
　
オ　引用発明において、回転子は、筆記体の後端面と該回転子が接する面より外側にカムと接し得る部位（以下「外側部位」という。）を有しており、外側部位がカムと係止することは自明である。一方、軸筒の内周面には、カムが形成されていない所があるから、カムは内周面の全周ではなく一部に設けられているところ、回転子の外側部位は、カムに沿つて滑らせカムの先端で回転させて係止するものであるから、外側部位がカムに対応して歯形に形成されているものであることは自明である。
　また、引用発明において、上記の歯形に形成された外側部位が、筆記体の突出方向に向けて延設させて該筆記体の後部を覆うものであるから、引用発明は、本願補正発明の「前記回転子の外周に歯部を形成すると共に、その歯部を筆記体の突出方向に向けて延設形成し、その延設部によって筆記体の後部を囲繞し」との事項を備える。
　
カ　上記アないしオから、本願補正発明と引用発明とは、
「軸筒の内面にカム溝が設けられ、そのカム溝と係合する摺動子、並びに、回転子が配置され、その回転子の前後動によって筆記体が前記軸筒から出没する筆記具であって、前記回転子の外周に歯部を形成すると共に、その歯部を筆記体の突出方向に向けて延設形成し、その延設部によって筆記体の後部を囲繞した出没式筆記具。」の点で一致し、以下の点で相違する。
　
（ア）歯部が、本願補正発明においては、「放射状」に形成されているのに対し、引用発明においては、放射状に形成されているかどうか明らかでない点（以下「相違点１」という。）。
（イ）本願補正発明は、「その回転子の外径部表面に前記歯部を形成した」ものであるのに対し、引用発明は、そのようなものかどうか明らかでない点（以下「相違点２」という。）。
（ウ）本願補正発明においては、筆記体の外径が「回転子の外径部表面以下」であるのに対し、引用発明においては、そのような関係であるかどうか明らかでない点（以下「相違点３」という。）。
（エ）本願補正発明は、「回転子の長手方向に貫通孔を形成した」ものであるのに対し、引用発明は、そのようなものかどうか明らかでない点（以下「相違点４」という。）。
　
（３）判断
　上記相違点について検討する。　
ア　相違点１について
　引用発明は、回転子をカムに沿つて滑らせ該カムの先端で回転させて係止するものであるから、スムーズな回転を行うために、カム及びカムに対応する回転子の歯部が、軸筒の内周面において一定の角度ごとに設けられるように設計することは、当業者であれば当然になすべきことであって、一定の角度ごとに設けられた回転子の歯部は放射状といえるから、上記相違点１に係る本願補正発明の構成となすことは、当業者が当然になし得たことである。
　
イ　相違点２について
（ア）本願明細書には、「又、
突起１１ａ
下方には、前記ボールペン体５
の後端部を囲繞するようにして保持する延設部１１ｃが形成
ボールペン体５の位置決めが容易になされるように下方に向けて直線状の傾斜面１１ｄが形成
突起１１ａに、ボールペン体５を出没させるためのカム機構とボールペン体の保持機構とを兼ね備えさせる
回転子１１の外径部表面１１ｅとボールペン体５の外径を同一なもの
　尚、本例においては、
前記延設部１１ｃの傾斜面１１ｄを外径部表面１１ｅの端部を起点とし
その起点から下方に向けて拡開するような傾斜面と
　
（イ）また、上記（ア）に照らして、「回転子に不可欠である
歯部によって筆記体の後部が保持される
　
ウ　相違点３について
（ア）筆記体の外径が回転子の外径部表面以下の技術上の意義について、本願明細書には、「回転子１１の外径部表面１１ｅとボールペン体５の外径を同一なものとすることができているようになり、此により、比較的大きな径のボールペン体を軸筒１の内部に配置することができるようになる。」（段落【０００９】）と記載されており、本願補正発明における「筆記体の外径が回転子の外径部表面以下」とする技術上の意義は、ボールペン体の外径と傾斜面１１ｄの起点から上方に伸びる面の直径を、比較的大きな径のボールペン体を軸筒の内部に配置できる程度に近づけたことを示したものに過ぎず、上記のように特定したことについて、当業者が予測可能な域を超える程の格別の技術的意義は認められない。
　
（イ）ここで、筆記具において、その軸筒に対し筆記体の径をできるだけ大きくすることは、当業者に自明の課題であり、引用発明において、前記課題を満たすために、回転子と筆記体の寸法につき上記（ア）のように特定し、上記相違点３に係る本願補正発明の構成となすことは、当業者が適宜設計的になし得たことというべきである。
　
エ　相違点４について
（ア）上記（１）イに照らせば、引用例２には、リフィールの後端付近には空気置換のための空気孔を設けてあり、その空気孔と連通して外気に通じる流通手段としての貫通孔を回転子の構成として設けることが記載されているといえる。
　
（イ）ここで、引用発明の筆記体として、ボールペン等のリフィールの空気置換を行う必要があるものを採用することについて困難性はなく、前記採用するに際して上記（ア）の記載に照らせば、引用発明の回転子に貫通孔を設け、上記相違点４に係る本願補正発明の構成となすことは、当業者が適宜設計的になし得たことというべきである。
　
オ　そして、本願補正発明の奏する効果が、引用発明及び引用例２の記載事項から当業者が予測可能な域を超える程の格別なものとは認められない。
　
カ　したがって、本願補正発明は、引用例１に記載された発明、引用例２の記載事項に基づいて当業者が容易に発明をすることができたものであるから、特許法第２９条第２項の規定により、独立して特許を受けることができない。
　
３　むすび
　以上の検討によれば、本件補正は、平成１８年改正前特許法第１７条の２第５項において準用する同法第１２６条第５項の規定に違反するものであるから、同法第１５９条第１項において読み替えて準用する同法第５３条第１項の規定により却下されるべきものである。
　　
第３　本願発明について
１　本願発明
　本件補正は上記のとおり却下されたので、本願の請求項に係る発明は、平成２０年１月１５日付け手続補正によって補正された明細書及び図面の記載からみて、その特許請求の範囲の請求項１及び２に記載された事項によって特定されるものであるところ、請求項１に係る発明（以下「本願発明」という。）は、前記第２［理由］１で、本件補正前の請求項１として記載されたとおりのものである。
　
２　刊行物の記載事項
　原査定の拒絶の理由に引用され本願出願前に頒布された刊行物である引用例１及びその記載事項は、前記第２［理由］２（１）アに記載したとおりである。
　
３　対比
　本願発明と引用発明とを対比する。
ア　引用発明の「軸筒」、「ノツク棒」、「カムが設けられている部分と設けられていない部分」、「回転子」、「筆記体」及び「ノツク式筆記具」は、それぞれ、本願発明の「軸筒」、「摺動子」、「カム溝」、「回転子」、「筆記体」及び「出没式筆記具」に相当する。
　
イ　引用発明の「軸筒」は、その内周面にカムが設けられている部分と設けられていない部分を有するから、本願発明の「軸筒」と、「内面にカム溝が設けられ」ている点で一致する。
　
ウ　引用発明の「ノック棒」は、その下端部の外周に、軸筒内周面のカムが設けられていない部分に係合する部分を有するから、本願発明の「摺動子」と、「そのカム溝と係合する」点で一致する。
　
エ　引用発明において、回転子はカムに沿つて滑らせるものであり、かつ、回転子はノツク棒と筆記体の間に配置されるものであるから、該回転子がノツク棒及び筆記体と同方向に移動し、より具体的には、ノツク棒が前進し筆記体を軸筒の先端口より突出させる際には回転子が前進し、筆記体が収納され且つノツク棒も後退する際には回転子が後退することは自明であるところ、上記イに照らすと、引用発明は、本願発明の「そのカム溝と係合する・・・回転子が配置され、その回転子の前後動によって筆記体が前記軸筒から出没する筆記具であって」との事項を備える。
　
オ　引用発明において、回転子は、筆記体の後端面と該回転子が接する面より外側にカムと接し得る部位（以下「外側部位」という。）を有しており、外側部位がカムと係止することは自明である。一方、軸筒の内周面には、カムが形成されていない所があるから、カムは内周面の全周ではなく一部に設けられているところ、回転子の外側部位は、カムに沿つて滑らせカムの先端で回転させて係止するものであるから、外側部位がカムに対応して歯形に形成されているものであることは自明である。
　また、引用発明において、上記の歯形に形成された外側部位が、筆記体の突出方向に向けて延設させて該筆記体の後部を覆うものであるから、引用発明は、本願発明の「前記回転子の外周に歯部を形成すると共に、その歯部を筆記体の突出方向に向けて延設形成し、その延設部によって筆記体の後部を囲繞し」との事項を備える。
　
カ　上記アないしオから、本願発明と引用発明とは、
「軸筒の内面にカム溝が設けられ、そのカム溝と係合する摺動子、並びに、回転子が配置され、その回転子の前後動によって筆記体が前記軸筒から出没する筆記具であって、前記回転子の外周に歯部を形成すると共に、その歯部を筆記体の突出方向に向けて延設形成し、その延設部によって筆記体の後部を囲繞した出没式筆記具。」の点で一致し、以下の点で相違する。
　
（ア）歯部が、本願発明においては、「放射状」に形成されているのに対し、引用発明においては、放射状に形成されているかどうか明らかでない点（以下「相違点５」という。）。
（イ）本願発明は、「その回転子の外径部表面に前記歯部を形成した」ものであるのに対し、引用発明は、そのようなものかどうか明らかでない点（以下「相違点６」という。）。
（ウ）本願発明においては、筆記体の外径が「回転子の外径部表面以下」であるのに対し、引用発明においては、そのような関係であるかどうか明らかでない点（以下「相違点７」という。）。
　
４　判断
　上記相違点について検討する。
（１）相違点５ないし７について
　相違点５ないし７は、前記第２［理由」２（２）カの相違点１ないし３と同じであるから、前記第２［理由］２（３）アないしウと同様の理由により、相違点５ないし７に係る本願発明の構成となすことは、引用発明に基づいて当業者が容易に想到し得ることである。
　
（２）そして、本願発明の奏する効果が、引用発明から当業者が予測可能な域を超える程の格別なものとは認められない。
　
（３）したがって、本願発明は、引用例１に記載された発明に基づいて当業者が容易に発明をすることができたものである。
　
５　むすび　
　以上のとおり、本願発明は、引用例１に記載された発明に基づいて当業者が容易に発明をすることができたものであるから、特許法第２９条第２項の規定により特許を受けることができない。
　よって、結論のとおり審決する。